(57)【要約】【課題】本発明は、原稿の画像を読み取るための読取光を原稿に照射する光源の光量が安定化するまでの安定化待ち時間を簡単かつ精度よく判定する画像読取装置、光量安定化時間判定方法、光量安定化時間判定プログラム及び記録媒体に関する。【解決手段】複合装置１は、環境温度を安価なサーミスタ９で検出し、当該サーミスタ９の検出する検出環境温度に基づいて、読取光を原稿に照射する冷陰極管１５の光量が安定するまでの光量安定化待ち時間を判定し、当該光量安定化待ち時間が経過すると、ＣＣＤ１３で原稿からの反射光を光電変換して原稿の読取を開始する。したがって、安価にかつ簡単な構造で、冷陰極管１５の光量が安定化するまでの待ち時間を必要最小限の時間に判定することができ、読取画像を安価に向上させつつ、利用性を向上させることができる。【選択図】          図１
2007259093.tif 000002
【特許請求の範囲】
【請求項１】
光源を点灯させて原稿に読取光を照射し、当該光源の光量が安定するまでの光量安定化時間を判定して、当該光量安定化時間が経過すると、当該原稿からの反射光を光電変換して当該原稿の画像を読み取る画像読取装置であって、環境温度を検出する環境温度検出手段を備え、当該環境温度検出手段の検出する検出環境温度に基づいて前記光量安定化時間を判定することを特徴とする画像読取装置。
【請求項２】
前記画像読取装置は、前記光源の前回の消灯時からの消灯後経過時間を計時する計時手段を備え、当該計時手段の計時する計時消灯後経過時間と前記検出環境温度とに基づいて前記光量安定化時間を判定することを特徴とする請求項１記載の画像読取装置。
【請求項３】
前記画像読取装置は、前記光源の消耗度を検出する消耗度検出手段を備え、当該消耗度検出手段の検出する検出光源消耗度と前記検出環境温度とに基づいて、または、当該検出光源消耗度と前記検出環境温度と前記計時消灯後経過時間とに基づいて前記光量安定化時間を判定することを特徴とする請求項１または請求項２記載の画像読取装置。
【請求項４】
前記画像読取装置は、前記光源の待機時に当該光源に供給されている光源電圧を検出する光源電圧検出手段を備え、当該光源電圧検出手段の検出する検出待機時光源電圧と前記検出環境温度とに基づいて、または、当該検出待機時光源電圧と前記検出環境温度と前記計時消灯後経過時間とに基づいて、または、当該検出待機時光源電圧と前記検出環境温度と前記計時消灯後経過時間と前記検出光源消耗度とに基づいて前記光量安定化時間を判定することを特徴とする請求項１から請求項３のいずれかに記載の画像読取装置。
【請求項５】
光源を点灯させて原稿に読取光を照射し、当該光源の光量が安定するまでの光量安定化時間を判定して、当該光量安定化時間が経過すると、当該原稿からの反射光を光電変換して当該原稿の画像を読み取る画像読取装置の前記光量安定化時間を判定する光量安定化時間判定方法であって、環境温度を検出し、当該検出する検出環境温度に基づいて前記光量安定化時間を判定することを特徴とする光量安定化時間判定方法。
【請求項６】
前記光量安定化時間判定方法は、前記光源の前回の消灯時からの消灯後経過時間を計時し、当該計時する計時消灯後経過時間と前記検出環境温度とに基づいて前記光量安定化時間を判定することを特徴とする請求項５記載の光量安定化時間判定方法。
【請求項７】
前記光量安定化時間判定方法は、前記光源の消耗度を検出し、当該検出する検出光源消耗度と前記検出環境温度とに基づいて、または、当該検出光源消耗度と前記検出環境温度と前記計時消灯後経過時間とに基づいて前記光量安定化時間を判定することを特徴とする請求項５または請求項６記載の光量安定化時間判定方法。
【請求項８】
前記光量安定化時間判定方法は、前記光源の待機時に当該光源に供給されている光源電圧を検出し、当該検出する検出待機時光源電圧と前記検出環境温度とに基づいて、または、当該検出待機時光源電圧と前記検出環境温度と前記計時消灯後経過時間とに基づいて、または、当該検出待機時光源電圧と前記検出環境温度と前記計時消灯後経過時間と前記検出光源消耗度とに基づいて前記光量安定化時間を判定することを特徴とする請求項５から請求項７のいずれかに記載の光量安定化時間判定方法。
【請求項９】
光源を点灯させて原稿に読取光を照射し、当該光源の光量が安定するまでの光量安定化時間を判定して、当該光量安定化時間が経過すると、当該原稿からの反射光を光電変換して当該原稿の画像を読み取る画像読取装置の前記光量安定化時間を判定する光量安定化時間判定方法を実行する光量安定化時間判定プログラムであって、請求項５から請求項８のいずれかに記載の前記光量安定化時間判定方法を実行することを特徴とする光量安定化時間判定プログラム。
【請求項１０】
光源を点灯させて原稿に読取光を照射し、当該光源の光量が安定するまでの光量安定化時間を判定して、当該光量安定化時間が経過すると、当該原稿からの反射光を光電変換して当該原稿の画像を読み取る画像読取装置の前記光量安定化時間を判定する光量安定化時間判定方法を実行する光量安定化時間判定プログラムを記録する記録媒体であって、前記光量安定化時間判定プログラムとして、請求項９記載の光量安定化時間判定プログラムを記録することを特徴とする記録媒体。
【発明の詳細な説明】
【技術分野】
【０００１】
本発明は、画像読取装置、光量安定化時間判定方法、光量安定化時間判定プログラム及び記録媒体に関し、詳細には、原稿の画像を読み取るための読取光を原稿に照射する光源の光量が安定化するまでの安定化待ち時間を安価かつ精度よく判定する画像読取装置、光量安定化時間判定方法、光量安定化時間判定プログラム及び記録媒体に関する。
【背景技術】
【０００２】
スキャナ、複写装置、ファクシミリ装置等の画像読取装置は、光源として、蛍光灯、Ｘｅ（キセノン）管あるいはＬＥＤ（Light Emitting Diode）等が用いられている。画像読取装置は、この光源から原稿に光を照射して、原稿からの反射光をＣＣＤ（Charge Coupled Device ）等の光電変換素子に入射し、光電変換素子で電気信号に変換して原稿の画像を読み取っている。
【０００３】
したがって、画像読取装置においては、光源の光量が適切であることが原稿の画像を良好な状態で読み取る上で重要である。
【０００４】
そこで、従来から画像読取装置においては、通常、光源の光量が安定した状態となるのを待って、読取動作を行っているが、光源の光量が不安定状態から安定状態に変化するまでの時間は、環境温度、光源の材質、光源の消耗度等々により種々変動し、数ミリ秒から３０秒程度の開きがある。
【０００５】
例えば、光源が、キセノン光源のように比較的安定している光源である場合には、数百ミリ秒程度で安定するため、ユーザの利便性にはほとんど影響しないが、光源が水銀蛍光灯やハロゲンランプのような安価ではあるが比較的不安定な光源である場合には、光源が安定するまでに、最大で３０秒から数分程度必要となる場合があり、ユーザを長時間待たせることになり、利用性が低下する。
【０００６】
そこで、従来、点灯開始指示信号の出力時点から原稿からの反射光を電気信号に変換する画像センサの出力信号の時間変化を監視して点灯開始指示信号の出力時点から光源の光量が所定の閾値に達するまでの光量立ち上げ時間を光量計測手段で計測し、光源温度計測手段で計測した光源の温度を参照して、初期動作時に光量計測手段で計測した光量立ち上げ時間に補正を行って、点灯開始指示信号の出力タイミングを決定する画像読取装置が提案されている（特許文献１参照）。
【０００７】
すなわち、この従来技術は、光源温度を光源温度計測手段で直接計測して、原稿の点灯開始タイミングを調整している。
【０００８】
また、従来、光源の温度を測定して、当該光源温度に基づいて、出力画像の記録紙への定着に用いる熱源の予熱の光源への流入を制御して、光源の温度を上昇させる画像入出力装置が提案されている（特許文献２参照）。
【０００９】
さらに、従来、定格電圧よりも高い電圧を印加して冷陰極管ランプを立ち上げ、基準時間毎に光量を検出して、ゲイン調整及び白色基準調整を行い冷陰極管を早く立ち上げる画像読取装置の制御方法が提案されている（特許文献３参照）。
【００１０】
【特許文献１】特許第３６２５４１９号公報
【特許文献２】特開平５−４８８４０号公報
【特許文献３】特開２００５−４５３０９号公報
【発明の開示】
【発明が解決しようとする課題】
【００１１】
しかしながら、上記従来技術にあっては、光源が安定状態に立ち上がるまでの待ち時間を安価にかつ必要最小限にして、利用性を向上させる上で、改良の必要があった。
【００１２】
すなわち、特許文献１記載の従来技術にあっては、光源自体の温度を光源温度計測手段で計測して光量立ち上げ時間を補正しているため、高価な光源温度計測手段を必要とし、装置が高くなるという問題がある。
【００１３】
また、特許文献２記載の従来技術にあっては、光源温度を計測して、当該計測した光源温度に応じて定着の予熱の光源への流入を制御しているため、高価な光源温度計測手段を必要とし、かつ、定着熱源を光源部に導入する機構を必要とし、装置が大型で高価なものとなるとともに、定着部を備えた装置でなければ適用することができず、汎用性に欠けるという問題があった。
【００１４】
さらに、特許文献３記載の従来技術にあっては、基準時間毎に光量を検出して、ゲイン調整及び白色基準調整を行っているため、ゲイン調整機構及び白色基準調整機構を必要とし、装置が高くなるとともに、光量測定とゲイン調整機構及び白色基準調整を繰り返し行うことで、処理速度が遅くなるおそれがある。
【００１５】
そこで、本発明は、光源の光量が安定化するまでの待ち時間を安価かつ簡単な構成で必要最小限の時間にし、利用性の良好な画像読取装置、光量安定化時間判定方法、光量安定化時間判定プログラム及び記録媒体を提供することを目的としている。
【課題を解決するための手段】
【００１６】
請求項１記載の発明の画像読取装置は、光源を点灯させて原稿に読取光を照射し、当該光源の光量が安定するまでの光量安定化時間を判定して、当該光量安定化時間が経過すると、当該原稿からの反射光を光電変換して当該原稿の画像を読み取る画像読取装置であって、環境温度を検出する環境温度検出手段を備え、当該環境温度検出手段の検出する検出環境温度に基づいて前記光量安定化時間を判定することにより、上記目的を達成している。
【００１７】
この場合、例えば、請求項２に記載するように、前記画像読取装置は、前記光源の前回の消灯時からの消灯後経過時間を計時する計時手段を備え、当該計時手段の計時する計時消灯後経過時間と前記検出環境温度とに基づいて前記光量安定化時間を判定するものであってもよい。
【００１８】
また、例えば、請求項３に記載するように、前記画像読取装置は、前記光源の消耗度を検出する消耗度検出手段を備え、当該消耗度検出手段の検出する検出光源消耗度と前記検出環境温度とに基づいて、または、当該検出光源消耗度と前記検出環境温度と前記計時消灯後経過時間とに基づいて前記光量安定化時間を判定するものであってもよい。
【００１９】
さらに、例えば、請求項４に記載するように、前記画像読取装置は、前記光源の待機時に当該光源に供給されている光源電圧を検出する光源電圧検出手段を備え、当該光源電圧検出手段の検出する検出待機時光源電圧と前記検出環境温度とに基づいて、または、当該検出待機時光源電圧と前記検出環境温度と前記計時消灯後経過時間とに基づいて、または、当該検出待機時光源電圧と前記検出環境温度と前記計時消灯後経過時間と前記検出光源消耗度とに基づいて前記光量安定化時間を判定するものであってもよい。
【００２０】
請求項５記載の発明の光量安定化時間判定方法は、光源を点灯させて原稿に読取光を照射し、当該光源の光量が安定するまでの光量安定化時間を判定して、当該光量安定化時間が経過すると、当該原稿からの反射光を光電変換して当該原稿の画像を読み取る画像読取装置の前記光量安定化時間を判定する光量安定化時間判定方法であって、環境温度を検出し、当該検出する検出環境温度に基づいて前記光量安定化時間を判定することにより、上記目的を達成している。
【００２１】
この場合、例えば、請求項６に記載するように、前記光量安定化時間判定方法は、前記光源の前回の消灯時からの消灯後経過時間を計時し、当該計時する計時消灯後経過時間と前記検出環境温度とに基づいて前記光量安定化時間を判定してもよい。
【００２２】
また、例えば、請求項７に記載するように、前記光量安定化時間判定方法は、前記光源の消耗度を検出し、当該検出する検出光源消耗度と前記検出環境温度とに基づいて、または、当該検出光源消耗度と前記検出環境温度と前記計時消灯後経過時間とに基づいて前記光量安定化時間を判定してもよい。
【００２３】
さらに、例えば、請求項８に記載するように、前記光量安定化時間判定方法は、前記光源の待機時に当該光源に供給されている光源電圧を検出し、当該検出する検出待機時光源電圧と前記検出環境温度とに基づいて、または、当該検出待機時光源電圧と前記検出環境温度と前記計時消灯後経過時間とに基づいて、または、当該検出待機時光源電圧と前記検出環境温度と前記計時消灯後経過時間と前記検出光源消耗度とに基づいて前記光量安定化時間を判定してもよい。
【００２４】
請求項９記載の光量安定化時間判定プログラムは、光源を点灯させて原稿に読取光を照射し、当該光源の光量が安定するまでの光量安定化時間を判定して、当該光量安定化時間が経過すると、当該原稿からの反射光を光電変換して当該原稿の画像を読み取る画像読取装置の前記光量安定化時間を判定する光量安定化時間判定方法を実行する光量安定化時間判定プログラムであって、請求項５から請求項８のいずれかに記載の前記光量安定化時間判定方法を実行することにより、上記目的を達成している。
【００２５】
請求項１０記載の記録媒体は、光源を点灯させて原稿に読取光を照射し、当該光源の光量が安定するまでの光量安定化時間を判定して、当該光量安定化時間が経過すると、当該原稿からの反射光を光電変換して当該原稿の画像を読み取る画像読取装置の前記光量安定化時間を判定する光量安定化時間判定方法を実行する光量安定化時間判定プログラムを記録する記録媒体であって、前記光量安定化時間判定プログラムとして、請求項９記載の光量安定化時間判定プログラムを記録することにより、上記目的を達成している。
【発明の効果】
【００２６】
本発明の画像読取装置によれば、環境温度を検出して、当該検出環境温度に基づいて、読取光を原稿に照射する光源の光量が安定するまでの光量安定化時間を判定するので、高価な光源自体の温度を検出したり、ゲイン調整や白基準調整を行うことなく、安価かつ簡単な構造で、光源の光量が安定化するまでの待ち時間である光量安定化時間を必要最小限の時間に判定することができ、読取画像を安価に向上させることができるとともに、利用性を向上させることができる。
【００２７】
また、本発明の光量安定化時間判定方法によれば、環境温度を検出して、当該検出環境温度に基づいて、画像読取装置の読取光を原稿に照射する光源の光量が安定するまでの光量安定化時間を判定するので、高価な光源自体の温度を検出したり、ゲイン調整や白基準調整を行うことなく、安価かつ簡単な構造で、光源の光量が安定化するまでの待ち時間である光量安定化時間を必要最小限の時間に判定することができ、読取画像を安価に向上させることができるとともに、利用性を向上させることができる。
【００２８】
さらに、本発明の光量安定化時間判定プログラムによれば、画像読取装置にインストールして導入することで、環境温度を検出して、当該検出環境温度に基づいて、当該画像読取装置の読取光を原稿に照射する光源の光量が安定するまでの光量安定化時間を判定するので、高価な光源自体の温度を検出したり、ゲイン調整や白基準調整を行うことなく、安価かつ簡単な構造で、光源の光量が安定化するまでの待ち時間である光量安定化時間を必要最小限の時間に判定することができ、読取画像を安価に向上させることができるとともに、利用性を向上させることができる。
【００２９】
さらに、本発明の記録媒体によれば、記録されている光量安定化時間判定プログラムを画像読取装置に読み取らせて導入することで、環境温度を検出して、当該検出環境温度に基づいて、当該画像読取装置の読取光を原稿に照射する光源の光量が安定するまでの光量安定化時間を判定するので、高価な光源自体の温度を検出したり、ゲイン調整や白基準調整を行うことなく、安価かつ簡単な構造で、光源の光量が安定化するまでの待ち時間である光量安定化時間を必要最小限の時間に判定することができ、読取画像を安価に向上させることができるとともに、利用性を向上させることができる。
【発明を実施するための最良の形態】
【００３０】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００３１】
図１〜図４は、本発明の画像読取装置、光量安定化時間判定方法、光量安定化時間判定プログラム及び記録媒体の第１実施例を示す図であり、図１は、本発明の画像読取装置、光量安定化時間判定方法、光量安定化時間判定プログラム及び記録媒体の第１実施例を適用した複合装置１の要部ブロック構成図である。
【００３２】
図１において、複合装置（画像読取装置）１は、ＣＰＵ（Central Processing Unit ）２、ＲＯＭ（Read Only Memory）３、ＲＡＭ（Random Access Memory）４、タイマ５、画像メモリ６、ＰＣＩ（Peripheral Component Interconnect）バス７、プリンタ８、サーミスタ９、ＣＰＵ  Ｉ／Ｆ１０及び読取部１１等を備えており、読取部１１は、Ａ／Ｄ変換器１２、ＣＣＤ（Charge Coupled Device ）１３、インバータ１４及び冷陰極管１５等を備えている。
【００３３】
ＲＯＭ３は、複合装置１としての基本プログラム及び後述する光量安定化時間判定処理プログラム等の各種プログラムを格納しているとともに、これらの各種プログラムを実行するのに必要なデータを予め格納しており、ＲＡＭ４は、ＣＰＵ２のワークメモリとして利用されるとともに、ＣＰＵ２の制御下で、各種データ、例えば、上記光量安定化時間判定処理で必要な各種データを記憶する。この光量安定化時間判定処理プログラムは、ＲＯＭ３に格納されている場合に限るものではなく、複合装置１に、図示しないハードディスクや画像メモリ６等に、フレキシブルディスク、ＣＤ（Compact Disc）、ＤＶＤ（Digital Video Disk）、メモリカード等の記録媒体に記録されている光量安定化時間判定処理プログラムを読み取らせて、記録して導入されていてもよい。
【００３４】
ＣＰＵ２は、ＲＯＭ３内のプログラムに基づいて、ＲＡＭ４をワークメモリとして利用しつつ複合装置１の各部を制御して、複合装置１としての基本処理を実行するとともに、後述する光量安定化時間判定処理を実行する。
【００３５】
タイマ（計時手段）５は、発振器及び分周回路等を備え、現在時刻の計時や任意の時刻の計時、特に、後述する光量安定化時間判定処理で使用する各種所要時間の計時を行う。
【００３６】
画像メモリ６は、例えば、大容量の磁気ディスク装置等の読み／書き可能なメモリが利用され、読取部１１で読み取った複数の画像データをファイルとして蓄積する。画像メモリ６は、磁気ディスク装置に限定されるものではなく、ＳＲＡＭモジュールやカードスロットに挿入されるメモリカード等を利用してもよい。
【００３７】
ＰＣＩバス７には、プリンタ８が接続されており、ＣＰＵ２は、ＰＣＩバス７を介してプリンタ８を制御して、読取部１１で読み取った原稿の画像データや図示しないホスト装置から受信した画像データを用紙に記録出力させる。
【００３８】
プリンタ８は、ＣＰＵ２の制御下で、所定の記録方式、例えば、電子写真方式で、ＰＣＩバス７を介して受け取った画像データに基づいて、画像を用紙に記録出力する。
【００３９】
サーミスタ（環境温度検出手段）９は、複合装置１内または複合装置１の周囲の環境温度を検出し、検出した環境温度をＣＰＵ２に出力する。なお、サーミスタ９の設定場所は、読取部１１に設けるのが適切であるが、複合装置１の環境温度を検出することのできる位置であれば、読取部１１に限るものではなく、例えば、プリンタ８に設けてもよい。このサーミスタ９は、大量生産されていて、一般的に、冷陰極管１５の温度を直接測定する温度センサ等の温度計測手段よりも安価である。
【００４０】
ＣＰＵ  Ｉ／Ｆ（光源電圧検出手段）１０に、読取部１１のインバータ１４とＡ／Ｄ変換器１２が接続されており、ＣＰＵ  Ｉ／Ｆ１０は、ＣＰＵ２からの命令をレジスタ等に書き込むことによって実際のデバイスが動く電流、電圧、波形、タイミング等を指示する。一方、ＣＰＵ２は、ＣＰＵ  Ｉ／Ｆ１０のレジスタ等を読み込むことによって、例えば、インバータ１４を介して冷陰極管１５を駆動している現在の電圧値等を取得することができる。
【００４１】
インバータ１４は、ＣＰＵ  Ｉ／Ｆ１０を介して、ＣＰＵ２の制御下で、電流変換して冷陰極管１５を発光駆動し、冷陰極管（光源）１５は、インバータ１４によって発光駆動されて、読取光を図示しない原稿に照射する。
【００４２】
ＣＣＤ１３は、冷陰極管１５から照射されて原稿で反射された反射光を光電変換して、原稿の画像を読み取り、読み取った原稿の画像をアナログの画像データとして、Ａ／Ｄ変換器１２に出力する。
【００４３】
Ａ／Ｄ変換器１２は、ＣＣＤ１３からのアナログの画像データをデジタル変換して、ＣＰＵ  Ｉ／Ｆ１０を介してＣＰＵ２に出力し、ＣＰＵ２は、この画像データを画像メモリ６に蓄積する。
【００４４】
次に、本実施例の作用を説明する。本実施例の複合装置１は、環境温度に基づいて、光源としての冷陰極管１５の光量が安定するまでの最小の待ち時間である最小の光量安定化時間としての光量安定化待ち時間（以下、最小安定化待ち時間という。）を、図２に示す安定化待ち時間判定処理で判定して、原稿の読み取りを行う。尚、以下の説明では、光量安定化時間を必要に応じて光量安定化待ち時間という。
【００４５】
すなわち、複合装置１は、図示しない原稿台に原稿がセットされ、図示しない操作部で原稿の読み取りに必要な各種設定操作（例えば、読取精度等の設定操作）が行われて、読取開始を指示するスタートキーが投入されると、ＣＰＵ２が、図２に示すように、ＣＰＵ  Ｉ／Ｆ１０を介して、インバータ１４に点灯命令を出力し、インバータ１４がこの点灯命令に応じて冷陰極管１５の点灯を開始する（ステップＳ１０１）。
【００４６】
ＣＰＵ２は、冷陰極管１５の点灯を開始すると、サーミスタ９による環境温度Ｋの計測結果を取得して（ステップＳ１０２）、図３の最小安定化待ち時間データ表を参照して、環境温度Ｋに基づいて、最小光量安定化時間としての最小安定化待ち時間Ｔ１（秒）、または、最小安定化待ち時間Ｔ２（秒）を決定する（ステップＳ１０３）。
【００４７】
すなわち、いま、冷陰極管１５が、図４に示すような環境温度Ｋに対する温度特性を有している場合、環境温度Ｋを、図４に示す閾値Ｋａで区切った場合に、環境温度Ｋが閾値Ｋａ以上であると、冷陰極管１５の光量が安定するまでの最小安定化時間である最小安定化待ち時間Ｔが最小安定化待ち時間Ｔ１となり、環境温度Ｋが閾値Ｋａ以下であると、最小安定化待ち時間Ｔが、最小安定化待ち時間Ｔ２（Ｔ１＜Ｔ２）となる。この最小安定化待ち時間Ｔ（Ｔ１、Ｔ２）は、予め実験等によって、環境温度Ｋを区切った範囲での最小安定化待ち時間の最大値を最小安定化待ち時間Ｔ１、Ｔ２として求めて、ＲＯＭ３または図示しない不揮発性メモリ等の最小安定化待ち時間記憶メモリに最小安定化待ち時間データ表として記憶し、ＣＰＵ２がこの最小安定化待ち時間記憶メモリの最小安定化待ち時間データ表からサーミスタ９の検出した環境温度Ｋに基づいて最小安定化待ち時間Ｔを読み出して決定する。
【００４８】
ＣＰＵ２は、最小安定化待ち時間Ｔを決定すると、当該決定した最小安定化待ち時間Ｔをタイマ５にセットし、タイマ５でセットした最小安定化待ち時間Ｔを計時してタイムアウトするまで安定化待ちする（ステップＳ１０４）。
【００４９】
ＣＰＵ２は、タイマ５が最小安定化待ち時間Ｔを計時して、タイムアウトすると、光源である冷陰極管１５が安定化したとして、原稿の読取動作を開始し、ＣＣＤ１３で光電変換した原稿のアナログの画像データを、Ａ／Ｄ変換器１２でデジタル変換した後、画像メモリ６に蓄積する処理を、全ての原稿に対して実施する（ステップＳ１０５）。
【００５０】
ＣＰＵ２は、セットされている全ての原稿の読取処理を完了すると、ＣＰＵ  Ｉ／Ｆ１０を介してインバータ１４に消灯命令を出力して、冷陰極管１５を消灯させて、待機状態に移行し（ステップＳ１０６）、この待機状態で、原稿がセットされて、必要な設定操作が行われてスタートキーが投入されると、ＣＰＵ  Ｉ／Ｆ１０を介してインバータ１４に点灯命令を出力し、ステップＳ１０１に移行して、上記同様に処理する（ステップＳ１０１〜Ｓ１０６）。
【００５１】
このように、本実施例の複合装置１は、環境温度を安価なサーミスタ９で検出し、当該サーミスタ９の検出する検出環境温度（環境温度）Ｋに基づいて、読取光を原稿に照射する光源である冷陰極管１５の光量が安定するまでの最小の光量安定化待ち時間Ｔを判定している。
【００５２】
したがって、高価な光源温度検出手段で冷陰極管１５自体の温度を検出したり、ゲイン調整や白基準調整を行うことなく、安価かつ簡単な構造で、冷陰極管１５の光量が安定化するまでの待ち時間である光量安定化時間を必要最小限の時間に判定することができ、読取画像を安価に向上させることができるとともに、利用性を向上させることができる。
【実施例２】
【００５３】
図５〜図７は、本発明の画像読取装置、光量安定化時間判定方法、光量安定化時間判定プログラム及び記録媒体の第２実施例を示す図であり、図５は、本発明の画像読取装置、光量安定化時間判定方法、光量安定化時間判定プログラム及び記録媒体の第２実施例を適用した複合装置による光源の安定化待ち時間判定処理を示すフローチャートである。
【００５４】
なお、本実施例は、上記第１実施例の複合装置１と同様の複合装置に適用したものであり、本実施例の説明においては、必要に応じて、上記第１実施例の説明で用いた符号をそのまま用いて説明する。
【００５５】
本実施例の複合装置１は、環境温度Ｋと消灯後の経過時間（以下、消灯時間という。）ＳＴとに基づいて、光源である冷陰極管１５の最小安定化待ち時間判定を行う。
【００５６】
すなわち、複合装置１は、原稿台に原稿がセットされ、操作部で原稿の読み取りに必要な各種設定操作が行われて、読取開始を指示するスタートキーが投入されると、ＣＰＵ２が、図５に示すように、まず、タイマ５に消灯中に行わせていた当該消灯後の経過時間（消灯時間）ＳＴの計時を終了させるとともに、当該計時した消灯時間ＳＴをＲＡＭ４に記憶し（ステップＳ２０１）、ＣＰＵ  Ｉ／Ｆ１０を介して、インバータ１４に点灯命令を出力して、インバータ１４がこの点灯命令に応じて冷陰極管１５の点灯を開始する（ステップＳ２０２）。
【００５７】
ＣＰＵ２は、冷陰極管１５の点灯を開始すると、サーミスタ９による環境温度Ｋの計測結果を取得して（ステップＳ２０３）、図６の最小安定化待ち時間データ表を参照して、上記消灯時間ＳＴと環境温度Ｋに基づいて、最小安定化待ち時間Ｔ３（秒）、Ｔ４（秒）、または、最小安定化待ち時間Ｔ５（秒）、Ｔ６秒（秒）を決定する（ステップＳ２０４）。
【００５８】
すなわち、いま、図７に示すように、消灯後経過時間である消灯時間ＳＴと環境温度Ｋとの関係で決定される領域を、環境温度閾値Ｋｂと消灯時間閾値ＳＴａによって、４つの領域Ｅ３〜Ｅ６に区分し、各領域Ｅ３〜Ｅ６において冷陰極管１５の光量が安定するまでの最小安定化待ち時間の最大値を最小安定化待ち時間Ｔ３〜Ｔ６として、それぞれ予め実験等で求めて、図６に示したように設定して、ＲＯＭ３または図示しない不揮発性メモリ等の最小安定化待ち時間記憶メモリに最小安定化待ち時間データ表として記憶し、ＣＰＵ２がこの最小安定化待ち時間記憶メモリの最小安定化待ち時間データ表からサーミスタ９の検出した環境温度Ｋ及び消灯時間ＳＴに基づいて最小安定化待ち時間Ｔ（Ｔ３〜Ｔ６）を読み出して決定する。具体的には、ＣＰＵ２は、消灯時間ＳＴが消灯時間閾値ＳＴａ以内のときに、環境温度Ｋが環境温度閾値Ｋｂ以上（領域Ｅ３）であると、最小安定化待ち時間Ｔとして、最小安定化待ち時間Ｔ３（秒）を決定し、環境温度Ｋが環境温度閾値Ｋｂ以下（領域Ｅ４）であると、最小安定化待ち時間Ｔとして、最小安定化待ち時間Ｔ４（秒）を決定し、また、消灯時間ＳＴが消灯時間閾値ＳＴａ以上のときに、環境温度Ｋが環境温度閾値Ｋｂ以上（領域Ｅ５）であると、最小安定化待ち時間Ｔとして、最小安定化待ち時間Ｔ５（秒）を決定し、環境温度Ｋが環境温度閾値Ｋｂ以下（領域Ｅ６）であると、最小安定化待ち時間Ｔとして、最小安定化待ち時間Ｔ６（秒）を決定する。
【００５９】
ＣＰＵ２は、最小安定化待ち時間Ｔを決定すると、当該決定した最小安定化待ち時間Ｔをタイマ５にセットし、タイマ５でセットした最小安定化待ち時間Ｔを計時してタイムアウトするまで安定化待ちする（ステップＳ２０５）。
【００６０】
ＣＰＵ２は、タイマ５が最小安定化待ち時間Ｔを計時して、タイムアウトすると、光源である冷陰極管１５の光量が安定化したとして、原稿の読取動作を開始し、ＣＣＤ１３で光電変換した原稿のアナログの画像データを、Ａ／Ｄ変換器１２でデジタル変換した後、画像メモリ６に蓄積する処理を、全ての原稿に対して実施する（ステップＳ２０６）。
【００６１】
ＣＰＵ２は、セットされている全ての原稿の読取処理を完了すると、ＣＰＵ  Ｉ／Ｆ１０を介してインバータ１４に消灯命令を出力して、冷陰極管１５を消灯させるとともに、タイマ５に消灯後の経過時間である消灯時間ＳＴの計時を開始させ（ステップＳ２０７）、待機状態に移行して（ステップＳ２０８）、この待機状態で、原稿がセットされて、必要な設定操作が行われてスタートキーが投入されると、ＣＰＵ  Ｉ／Ｆ１０を介してインバータ１４に点灯命令を出力して、ステップＳ２０１に移行し、タイマ５による消灯時間ＳＴの計時の終了と計時した消灯時間ＳＴのＲＡＭ４への記憶及び冷陰極管１５の点灯の開始から上記同様に処理する（ステップＳ２０１〜Ｓ２０８）。
【００６２】
このように、本実施例の複合装置１は、タイマ５で冷陰極管１５の前回の消灯時からの消灯後経過時間（消灯時間）ＳＴを計時し、当該消灯時間ＳＴとサーミスタ９の検出する環境温度Ｋとに基づいて、読取光を原稿に照射する光源である冷陰極管１５の光量が安定するまでの最小の光量安定化待ち時間Ｔを判定している。
【００６３】
したがって、高価な光源温度検出手段で冷陰極管１５自体の温度を検出したり、ゲイン調整や白基準調整を行うことなく、安価かつ簡単な構造で、冷陰極管１５の光量が安定化するまでの待ち時間である光量安定化時間を確実に必要最小限の時間に判定することができ、読取画像を安価に一層向上させることができるとともに、利用性を向上させることができる。
【実施例３】
【００６４】
図８及び図９は、本発明の画像読取装置、光量安定化時間判定方法、光量安定化時間判定プログラム及び記録媒体の第３実施例を示す図であり、図８は、本発明の画像読取装置、光量安定化時間判定方法、光量安定化時間判定プログラム及び記録媒体の第３実施例を適用した複合装置による光源の安定化待ち時間判定処理を示すフローチャートである。
【００６５】
なお、本実施例は、上記第１実施例の複合装置１と同様の複合装置に適用したものであり、本実施例の説明においては、必要に応じて、上記第１実施例の説明で用いた符号をそのまま用いて説明する。
【００６６】
本実施例の複合装置１は、環境温度Ｋと累積点灯時間ＲＴとに基づいて、光源である冷陰極管１５の光量の最小安定化待ち時間判定を行う。この累積点灯時間ＲＴは、冷陰極管１５の点灯時間の累積時間であり、冷陰極管１５の消耗度の尺度の１つを示している。
【００６７】
すなわち、複合装置１は、原稿台に原稿がセットされ、操作部で原稿の読み取りに必要な各種設定操作が行われて、読取開始を指示するスタートキーが投入されると、ＣＰＵ２が、図８に示すように、まず、ＣＰＵ  Ｉ／Ｆ１０を介して、インバータ１４に点灯命令を出力して、インバータ１４がこの点灯命令に応じて冷陰極管１５の点灯を開始し（ステップＳ３０１）、タイマ５の駆動を開始して点灯時間の計時を開始させる（ステップＳ３０２）。
【００６８】
ＣＰＵ２は、冷陰極管１５の点灯と点灯時間の計時を開始すると、サーミスタ９による環境温度Ｋの計測結果を取得して（ステップＳ３０３）、図９の最小安定化待ち時間データ表を参照して、環境温度Ｋと累積点灯時間ＲＴに基づいて、最小安定化待ち時間Ｔ７（秒）〜Ｔ１０（秒）を決定する（ステップＳ３０４）。
【００６９】
すなわち、ＣＰＵ２は、後述するように、光源である冷陰極管１５を点灯すると、当該冷陰極管１５の点灯時間を計時し、その後、読み取りが完了して冷陰極管１５を消灯すると、当該計時した点灯時間をＲＡＭ４に記憶している累積点灯時間ＲＴに加算する処理を冷陰極管１５を点灯する毎に行い、上記ステップＳ３０４で、このＲＡＭ４に記憶している累積点灯時間ＲＴとサーミスタ９の計測した環境温度Ｋとに基づいて、予めＲＯＭ３または図示しない不揮発性メモリ等の最小安定化待ち時間記憶メモリに記憶されている最小安定化待ち時間データ表（図９参照）から最小安定化待ち時間Ｔを読み出して決定する。
【００７０】
そして、この最小安定化待ち時間Ｔは、例えば、上記第２実施例の図７と同様に、累積点灯時間ＲＴと環境温度Ｋとの関係で決定される領域を、環境温度閾値と累積点灯時間閾値によって、４つの領域に区分し、各領域において冷陰極管１５の光量が安定するまでの最小安定化待ち時間の最大値を最小安定化待ち時間Ｔ７（秒）〜Ｔ１０（秒）として、それぞれ予め実験等で求めて、図９に示したように設定して、ＲＯＭ３または図示しない不揮発性メモリ等の最小安定化待ち時間記憶メモリに最小安定化待ち時間データ表として記憶する。
【００７１】
具体的には、環境温度Ｋが閾値以上かつ光源累積点灯時間ＲＴが閾値以上であった場合の最小安定化待ち時間の最大値を最小安定化待ち時間Ｔ７（秒）、環境温度Ｋが閾値以下かつ累積点灯時間ＲＴが閾値以上であった場合の最小安定化待ち時間の最大値を最小安定化待ち時間Ｔ８（秒）、環境温度Ｋが閾値以上かつ累積点灯時間ＲＴが閾値以下であった場合の最小安定化待ち時間の最大値を最小安定化待ち時間Ｔ９（秒）、環境温度Ｋが閾値以下かつ光源累積点灯時間ＲＴが閾値以下であった場合の最小安定化待ち時間の最大値を最小安定化待ち時間Ｔ１０（秒）とする。
【００７２】
そして、ＣＰＵ２は、ステップＳ３０４で、最小安定化待ち時間記憶メモリの安定化待ち時間データ表からサーミスタ９の検出した環境温度Ｋ及び累積点灯時間ＲＴに基づいて最小安定化待ち時間Ｔを読み出して決定する。
【００７３】
ＣＰＵ２は、最小安定化待ち時間Ｔを決定すると、当該決定した最小安定化待ち時間Ｔをタイマ５にセットし、タイマ５でセットした最小安定化待ち時間Ｔを計時してタイムアウトするまで安定化待ちする（ステップＳ３０５）。
【００７４】
ＣＰＵ２は、タイマ５が最小安定化待ち時間Ｔを計時して、タイムアウトすると、光源である冷陰極管１５が安定化したとして、原稿の読取動作を開始し、ＣＣＤ１３で光電変換した原稿のアナログの画像データを、Ａ／Ｄ変換器１２でデジタル変換した後、画像メモリ６に蓄積する処理を、全ての原稿に対して実施する（ステップＳ３０６）。
【００７５】
ＣＰＵ２は、セットされている全ての原稿の読取処理を完了すると、ＣＰＵ  Ｉ／Ｆ１０を介してインバータ１４に消灯命令を出力して、冷陰極管１５を消灯させるとともに、タイマ５に点灯時間の計時を終了させ（ステップＳ３０７）、この計時された点灯時間をＲＡＭ４に既に累積されている累積点灯時間ＲＴに加算して（ステップＳ３０８）、待機状態に移行する（ステップＳ３０９）。
【００７６】
ＣＰＵ２は、この待機状態で、原稿がセットされて、必要な設定操作が行われてスタートキーが投入されると、ＣＰＵ  Ｉ／Ｆ１０を介してインバータ１４に点灯命令を出力して、ステップＳ３０１に移行し、冷陰極管１５の点灯を開始させて、点灯時間の計時をタイマ５に開始させる処理から上記同様に処理する（ステップＳ３０１〜Ｓ３０９）。
【００７７】
このように、本実施例の複合装置１は、冷陰極管１５の消耗度を示す点灯時間の累積時間である累積点灯時間ＲＴをタイマ５で計時し、当該累積点灯時間ＲＴとサーミスタ９で検出した環境温度Ｋとに基づいて、読取光を原稿に照射する光源である冷陰極管１５の光量が安定するまでの最小の光量安定化待ち時間Ｔを判定している。
【００７８】
したがって、高価な光源温度検出手段で冷陰極管１５自体の温度を検出したり、ゲイン調整や白基準調整を行うことなく、安価かつ簡単な構造で、冷陰極管１５の光量が安定化するまでの待ち時間である光量安定化時間をより適切に必要最小限の時間に判定することができ、読取画像を安価により一層向上させることができるとともに、利用性を向上させることができる。
【実施例４】
【００７９】
図１０及び図１１は、本発明の画像読取装置、光量安定化時間判定方法、光量安定化時間判定プログラム及び記録媒体の第４実施例を示す図であり、図１０は、本発明の画像読取装置、光量安定化時間判定方法、光量安定化時間判定プログラム及び記録媒体の第４実施例を適用した複合装置による光源の安定化待ち時間判定処理を示すフローチャートである。
【００８０】
なお、本実施例は、上記第１実施例の複合装置１と同様の複合装置に適用したものであり、本実施例の説明においては、必要に応じて、上記第１実施例の説明で用いた符号をそのまま用いて説明する。
【００８１】
本実施例の複合装置１は、環境温度Ｋと光源である冷陰極管１５の待機時光源電圧Ｖとに基づいて、冷陰極管１５の光量の最小安定化待ち時間判定を行う。なお、本実施例では、消灯とは、待機時に所定電圧を冷陰極管１５に印加し続けている状態を含むものとし、以下の説明で、待機時光源電圧Ｖは、この待機時に陰極管１５に印加し続けている所定電圧をいう。
【００８２】
すなわち、複合装置１は、原稿台に原稿がセットされ、操作部で原稿の読み取りに必要な各種設定操作が行われて、読取開始を指示するスタートキーが投入されると、ＣＰＵ２が、図１０に示すように、まず、光源である冷陰極管１５の待機時の電圧である待機時光源電圧ＶをＣＰＵ  Ｉ／Ｆ１０から取得してＲＡＭ４に記憶し（ステップＳ４０１）、次に、ＣＰＵ  Ｉ／Ｆ１０を介して、インバータ１４に点灯命令を出力して、インバータ１４がこの点灯命令に応じて冷陰極管１５の点灯を開始する（ステップＳ４０２）。
【００８３】
ＣＰＵ２は、冷陰極管１５を点灯させると、サーミスタ９による環境温度Ｋの計測結果を取得し（ステップＳ４０３）、図１１の最小安定化待ち時間データ表を参照して、環境温度Ｋと待機時光源電圧Ｖに基づいて、最小安定化待ち時間Ｔ１１（秒）〜Ｔ１４（秒）を決定する（ステップＳ４０４）。
【００８４】
すなわち、ＣＰＵ２は、光源である冷陰極管１５を点灯する前に、当該冷陰極管１５の待機時光源電圧Ｖを取得してＲＡＭ４に記憶し、その後、冷陰極管１５を点灯させて、環境温度Ｋを取得して、この待機時光源電圧Ｖと環境温度Ｋに基づいて、予めＲＯＭ３または図示しない不揮発性メモリ等の最小安定化待ち時間記憶メモリに記憶されている最小安定化待ち時間データ表から最小安定化待ち時間Ｔを読み出して決定する。
【００８５】
そして、この最小安定化待ち時間Ｔは、例えば、上記第２実施例の図７と同様に、待機時光源電圧Ｖと環境温度Ｋとの関係で決定される領域を、環境温度閾値と待機時光源電圧閾値によって、４つの領域に区分し、各領域において冷陰極管１５の光量が安定するまでの最小安定化待ち時間の最大値を、最小安定化待ち時間Ｔ１１（秒）〜Ｔ１４（秒）として、それぞれ予め実験等で求めて、図１１に示したように設定して、ＲＯＭ３または図示しない不揮発性メモリ等の最小安定化待ち時間記憶メモリに最小安定化待ち時間データ表として記憶し、ＣＰＵ２がこの最小安定化待ち時間記憶メモリの最小安定化待ち時間データ表からサーミスタ９の検出した環境温度Ｋ及び待機時光源電圧に基づいて最小安定化待ち時間Ｔを読み出して決定する。
【００８６】
ＣＰＵ２は、最小安定化待ち時間Ｔを決定すると、当該決定した最小安定化待ち時間Ｔをタイマ５にセットし、タイマ５でセットした最小安定化待ち時間Ｔを計時してタイムアウトするまで安定化待ちする（ステップＳ４０５）。
【００８７】
ＣＰＵ２は、タイマ５が最小安定化待ち時間Ｔを計時して、タイムアウトすると、光源である冷陰極管１５が安定化したとして、原稿の読取動作を開始し、ＣＣＤ１３で光電変換した原稿のアナログの画像データを、Ａ／Ｄ変換器１２でデジタル変換した後、画像メモリ６に蓄積する処理を、全ての原稿に対して実施する（ステップＳ４０６）。
【００８８】
ＣＰＵ２は、セットされている全ての原稿の読取処理を完了すると、ＣＰＵ  Ｉ／Ｆ１０を介してインバータ１４に消灯命令を出力して、冷陰極管１５を消灯させ、待機状態に移行する（ステップＳ４０７）。
【００８９】
ＣＰＵ２は、この待機状態で、原稿がセットされて、必要な設定操作が行われてスタートキーが投入されると、ステップＳ４０１に移行して、ＣＰＵ  Ｉ／Ｆ１０から待機時光源電圧Ｖを取得してＲＡＭ４に記憶した後（ステップＳ４０１）、上記同様に、ＣＰＵ  Ｉ／Ｆ１０を介してインバータ１４に点灯命令を出力して、冷陰極管１５の点灯を開始させる処理から上記同様に処理する（ステップＳ４０１〜Ｓ４０７）。
【００９０】
このように、本実施例の複合装置１は、冷陰極管１５の消灯時に供給されている電圧を待機時光源電圧Ｖとして検出し、この検出待機時光源電圧Ｖとサーミスタ９で検出した環境温度Ｋとに基づいて、読取光を原稿に照射する光源である冷陰極管１５の光量が安定するまでの最小の光量安定化待ち時間Ｔを判定している。
【００９１】
したがって、高価な光源温度検出手段で冷陰極管１５自体の温度を検出したり、ゲイン調整や白基準調整を行うことなく、安価かつ簡単な構造で、冷陰極管１５の光量が安定化するまでの待ち時間である光量安定化時間をより一層適切に必要最小限の時間に判定することができ、読取画像を安価により一層向上させることができるとともに、利用性を向上させることができる。
【実施例５】
【００９２】
図１２及び図１３は、本発明の画像読取装置、光量安定化時間判定方法、光量安定化時間判定プログラム及び記録媒体の第５実施例を示す図であり、図１２は、本発明の画像読取装置、光量安定化時間判定方法、光量安定化時間判定プログラム及び記録媒体の第５実施例を適用した複合装置による光源の安定化待ち時間判定処理を示すフローチャートである。
【００９３】
なお、本実施例は、上記第１実施例の複合装置１と同様の複合装置に適用したものであり、本実施例の説明においては、必要に応じて、上記第１実施例の説明で用いた符号をそのまま用いて説明する。
【００９４】
本実施例の複合装置１は、環境温度Ｋ、消灯後の経過時間（消灯時間）ＳＴ及び累積点灯時間ＲＴに基づいて、光源である冷陰極管１５の光量の最小安定化待ち時間判定を行う。
【００９５】
すなわち、複合装置１は、原稿台に原稿がセットされ、操作部で原稿の読み取りに必要な各種設定操作が行われて、読取開始を指示するスタートキーが投入されると、ＣＰＵ２が、図１２に示すように、まず、タイマ５に消灯中に行わせていた当該消灯後経過時間（消灯時間）ＳＴの計時を終了させるとともに、当該計時した消灯時間ＳＴをＲＡＭ４に記憶し（ステップＳ５０１）、ＣＰＵ  Ｉ／Ｆ１０を介して、インバータ１４に点灯命令を出力して、インバータ１４がこの点灯命令に応じて冷陰極管１５の点灯を開始するとともに（ステップＳ５０２）、タイマ５の駆動を開始して点灯時間の計時を開始させる（ステップＳ５０３）。
【００９６】
ＣＰＵ２は、冷陰極管１５の点灯と点灯時間の計時を開始すると、サーミスタ９による環境温度Ｋの計測結果を取得して（ステップＳ５０４）、図１３の最小安定化待ち時間データ表を参照して、環境温度Ｋ、消灯時間ＳＴ及び累積点灯時間ＲＴに基づいて、最小安定化待ち時間Ｔ１５（秒）〜Ｔ２２（秒）を決定する（ステップＳ５０５）。
【００９７】
すなわち、ＣＰＵ２は、光源である冷陰極管１５を点灯する前に、当該冷陰極管１５の消灯後の経過時間である消灯時間ＳＴのタイマ５による計時を終了して、当該計時結果の消灯時間ＳＴをＲＡＭ４に記憶し、冷陰極管１５の点灯を行うと、当該冷陰極管１５の点灯時間を計時を開始し、その後、読み取りが完了して冷陰極管１５を消灯すると、当該計時した点灯時間をＲＡＭ４に記憶している累積点灯時間ＲＴに加算する処理を冷陰極管１５を点灯する毎に行い、上記ステップＳ５０５で、このＲＡＭ４に記憶している消灯時間ＳＴ、累積点灯時間ＲＴ及びサーミスタ９の計測した環境温度Ｋとに基づいて、予めＲＯＭ３または図示しない不揮発性メモリ等の最小安定化待ち時間記憶メモリに記憶されている最小安定化待ち時間データ表から最小安定化待ち時間Ｔを読み出して決定する。
【００９８】
そして、この最小安定化待ち時間Ｔは、例えば、上記第２実施例の図７と同様に、環境温度Ｋと消灯時間ＳＴの関係で決定される領域を、環境温度閾値と消灯後経過時間（消灯時間）閾値によって、４つの領域に区分し、さらに、消灯時間ＳＴと累積点灯時間ＲＴで決定される領域を、累積点灯時間閾値によって、４つの領域に区分、すなわち、総数８つの領域に区分し、各領域において冷陰極管１５の光量が安定するまでの最小安定化待ち時間の最大値を最小安定化待ち時間Ｔ１５（秒）〜Ｔ２２（秒）として、それぞれ予め実験等で求めて、図１３に示したように設定して、ＲＯＭ３または図示しない不揮発性メモリ等の最小安定化待ち時間記憶メモリに最小安定化待ち時間データ表として記憶し、ＣＰＵ２がこの最小安定化待ち時間記憶メモリの最小安定化待ち時間データ表からサーミスタ９の検出した環境温度Ｋ及びＲＡＭ４の消灯時間ＳＴと累積点灯時間ＲＴに基づいて最小安定化待ち時間Ｔを読み出して決定する。
【００９９】
ＣＰＵ２は、最小安定化待ち時間Ｔを決定すると、当該決定した最小安定化待ち時間Ｔをタイマ５にセットし、タイマ５でセットした最小安定化待ち時間Ｔを計時してタイムアウトするまで安定化待ちする（ステップＳ５０６）。
【０１００】
ＣＰＵ２は、タイマ５が最小安定化待ち時間Ｔを計時して、タイムアウトすると、光源である冷陰極管１５が安定化したとして、原稿の読取動作を開始し、ＣＣＤ１３で光電変換した原稿のアナログの画像データを、Ａ／Ｄ変換器１２でデジタル変換した後、画像メモリ６に蓄積する処理を、全ての原稿に対して実施する（ステップＳ５０７）。
【０１０１】
ＣＰＵ２は、セットされている全ての原稿の読取処理を完了すると、ＣＰＵ  Ｉ／Ｆ１０を介してインバータ１４に消灯命令を出力して、冷陰極管１５を消灯させるとともに、タイマ５に点灯時間の計時を終了させ（ステップＳ５０８）、この計時された点灯時間をＲＡＭ４に既に累積されている累積点灯時間ＲＴに加算して（ステップＳ５０９）、次に、タイマ５に消灯後の経過時間である消灯時間ＳＴの計時を開始させ（ステップＳ５１０）、待機状態に移行する（ステップＳ５１１）。
【０１０２】
ＣＰＵ２は、この待機状態で、原稿がセットされて、必要な設定操作が行われてスタートキーが投入されると、ＣＰＵ  Ｉ／Ｆ１０を介してインバータ１４に点灯命令を出力して、ステップＳ５０１に移行し、タイマ５による消灯時間ＳＴの計時の終了と計時した消灯時間ＳＴのＲＡＭ４への記憶及び冷陰極管１５の点灯の開始から上記同様に処理する（ステップＳ５０１〜Ｓ５１１）。
【０１０３】
このように、本実施例の複合装置１は、冷陰極管１５の前回の消灯時からの消灯後経過時間である消灯時間ＳＴをタイマ５で計時し、また、冷陰極管１５の消耗度を示す点灯時間の累積時間である累積点灯時間ＲＴをタイマ５で計時し、この消灯時間ＳＴと累積点灯時間ＲＴ及びサーミスタ９で検出した環境温度Ｋとに基づいて、読取光を原稿に照射する光源である冷陰極管１５の光量が安定するまでの最小の光量安定化待ち時間Ｔを判定している。
【０１０４】
したがって、高価な光源温度検出手段で冷陰極管１５自体の温度を検出したり、ゲイン調整や白基準調整を行うことなく、安価かつ簡単な構造で、冷陰極管１５の光量が安定化するまでの待ち時間である光量安定化時間をより一層適切に必要最小限の時間に判定することができ、読取画像を安価により一層向上させることができるとともに、利用性を向上させることができる。
【実施例６】
【０１０５】
図１４及び図１５は、本発明の画像読取装置、光量安定化時間判定方法、光量安定化時間判定プログラム及び記録媒体の第６実施例を示す図であり、図１４は、本発明の画像読取装置、光量安定化時間判定方法、光量安定化時間判定プログラム及び記録媒体の第６実施例を適用した複合装置による光源の安定化待ち時間判定処理を示すフローチャートである。
【０１０６】
なお、本実施例は、上記第１実施例の複合装置１と同様の複合装置に適用したものであり、本実施例の説明においては、必要に応じて、上記第１実施例の説明で用いた符号をそのまま用いて説明する。
【０１０７】
本実施例の複合装置１は、環境温度Ｋ、光源である冷陰極管１５の待機時光源電圧Ｖ及び累積点灯時間ＲＴに基づいて、光源である冷陰極管１５の光量の最小安定化待ち時間判定を行う。なお、本実施例では、消灯とは、待機時に所定電圧を冷陰極管１５に印加し続けている状態を含むものとし、以下の説明で、待機時光源電圧Ｖは、この待機時に陰極管１５に印加し続けている所定電圧をいう。
【０１０８】
すなわち、複合装置１は、原稿台に原稿がセットされ、操作部で原稿の読み取りに必要な各種設定操作が行われて、読取開始を指示するスタートキーが投入されると、ＣＰＵ２が、図１４に示すように、まず、光源である冷陰極管１５の待機時の電圧である待機時光源電圧ＶをＣＰＵ  Ｉ／Ｆ１０から取得してＲＡＭ４に記憶し（ステップＳ６０１）、次に、ＣＰＵ  Ｉ／Ｆ１０を介して、インバータ１４に点灯命令を出力して、インバータ１４がこの点灯命令に応じて冷陰極管１５の点灯を開始する（ステップＳ６０２）。
【０１０９】
ＣＰＵ２は、冷陰極管１５を点灯させると、タイマ５の駆動を開始して冷陰極管１５の点灯時間の計時を開始させ（ステップＳ６０３）、サーミスタ９による環境温度Ｋの計測結果を取得して（ステップＳ６０４）、図１５の最小安定化待ち時間データ表を参照して、環境温度Ｋ、待機時光源電圧Ｖ及び累積点灯時間ＲＴに基づいて、最小安定化待ち時間Ｔ２３（秒）〜Ｔ３０（秒）を決定する（ステップＳ６０５）。
【０１１０】
すなわち、ＣＰＵ２は、光源である冷陰極管１５を点灯する前に、当該冷陰極管１５の待機時光源電圧Ｖを取得してＲＡＭ４に記憶し、その後、冷陰極管１５を点灯させ、冷陰極管１５を点灯させると、当該冷陰極管１５の点灯時間の計時を開始し、その後、読み取りが完了して冷陰極管１５を消灯すると、当該計時した点灯時間をＲＡＭ４に記憶している累積点灯時間ＲＴに加算する処理を冷陰極管１５を点灯する毎に行い、上記ステップＳ６０５で、待機時光源電圧ＶとＲＡＭ４に記憶している累積点灯時間ＲＴ及びサーミスタ９の計測した環境温度Ｋに基づいて、予めＲＯＭ３または図示しない不揮発性メモリ等の最小安定化待ち時間記憶メモリに記憶されている最小安定化待ち時間データ表から最小安定化待ち時間Ｔを読み出して決定する。
【０１１１】
そして、この最小安定化待ち時間Ｔは、例えば、上記第２実施例の図７と同様に、環境温度Ｋと待機時光源温度Ｖの関係で決定される領域を、環境温度閾値と待機時光源電圧閾値閾値によって、４つの領域に区分し、さらに、待機時光源電圧Ｖと累積点灯時間ＲＴで決定される領域を、累積点灯時間閾値によって、４つの領域に区分、すなわち、総数８つの領域に区分し、各領域において冷陰極管１５の光量が安定するまでの最小安定化待ち時間の最大値を最小安定化待ち時間Ｔ２３（秒）〜Ｔ３０（秒）として、それぞれ予め実験等で求めて、図１５に示したように設定して、ＲＯＭ３または図示しない不揮発性メモリ等の最小安定化待ち時間記憶メモリに最小安定化待ち時間データ表として記憶し、ＣＰＵ２がこの最小安定化待ち時間記憶メモリの最小安定化待ち時間データ表からサーミスタ９の検出した環境温度Ｋ及びＲＡＭ４の消灯時間ＳＴと累積点灯時間ＲＴに基づいて最小安定化待ち時間Ｔを読み出して決定する。
【０１１２】
ＣＰＵ２は、最小安定化待ち時間Ｔを決定すると、当該決定した最小安定化待ち時間Ｔをタイマ５にセットし、タイマ５でセットした最小安定化待ち時間Ｔを計時してタイムアウトするまで安定化待ちする（ステップＳ６０６）。
【０１１３】
ＣＰＵ２は、タイマ５が最小安定化待ち時間Ｔを計時して、タイムアウトすると、光源である冷陰極管１５の光量が安定化したとして、原稿の読取動作を開始し、ＣＣＤ１３で光電変換した原稿のアナログの画像データを、Ａ／Ｄ変換器１２でデジタル変換した後、画像メモリ６に蓄積する処理を、全ての原稿に対して実施する（ステップＳ６０７）。
【０１１４】
ＣＰＵ２は、セットされている全ての原稿の読取処理を完了すると、ＣＰＵ  Ｉ／Ｆ１０を介してインバータ１４に消灯命令を出力して、冷陰極管１５を消灯させるとともに、タイマ５に点灯時間の計時を終了させ（ステップＳ６０８）、この計時された点灯時間をＲＡＭ４に既に累積されている累積点灯時間ＲＴに加算して（ステップＳ６０９）、待機状態に移行する（ステップＳ６１０）。
【０１１５】
ＣＰＵ２は、この待機状態で、原稿がセットされて、必要な設定操作が行われてスタートキーが投入されると、ＣＰＵ  Ｉ／Ｆ１０を介してインバータ１４に点灯命令を出力して、ステップＳ６０１に移行して、ＣＰＵ  Ｉ／Ｆ１０から待機時光源電圧Ｖを取得してＲＡＭ４に記憶した後（ステップＳ６０１）、上記同様に、ＣＰＵ  Ｉ／Ｆ１０を介してインバータ１４に点灯命令を出力して、冷陰極管１５の点灯を開始させる処理から上記同様に処理する（ステップＳ６０１〜Ｓ６１０）。
【０１１６】
このように、本実施例の複合装置１は、冷陰極管１５の消灯時に供給されている電圧を待機時光源電圧Ｖとして検出し、また、冷陰極管１５の消耗度を示す点灯時間の累積時間である累積点灯時間ＲＴをタイマ５で計時し、この検出待機時光源電圧Ｖと累積点灯時間ＲＴ及びサーミスタ９で検出した環境温度Ｋとに基づいて、読取光を原稿に照射する光源である冷陰極管１５の光量が安定するまでの最小の光量安定化待ち時間Ｔを判定している。
【０１１７】
したがって、高価な光源温度検出手段で冷陰極管１５自体の温度を検出したり、ゲイン調整や白基準調整を行うことなく、安価かつ簡単な構造で、冷陰極管１５の光量が安定化するまでの待ち時間である光量安定化時間をより一層適切に必要最小限の時間に判定することができ、読取画像を安価により一層向上させることができるとともに、利用性を向上させることができる。
【実施例７】
【０１１８】
図１６及び図１７は、本発明の画像読取装置、光量安定化時間判定方法、光量安定化時間判定プログラム及び記録媒体の第７実施例を示す図であり、図１７は、本発明の画像読取装置、光量安定化時間判定方法、光量安定化時間判定プログラム及び記録媒体の第７実施例を適用した複合装置による光源の安定化待ち時間判定処理を示すフローチャートである。
【０１１９】
なお、本実施例は、上記第１実施例の複合装置１と同様の複合装置に適用したものであり、本実施例の説明においては、必要に応じて、上記第１実施例の説明で用いた符号をそのまま用いて説明する。
【０１２０】
本実施例の複合装置１は、環境温度Ｋ、消灯後の経過時間（消灯時間）ＳＴ及び待機時光源電圧Ｖに基づいて、光源である冷陰極管１５の光量の最小安定化待ち時間判定を行う。なお、本実施例では、消灯とは、待機時に所定電圧を冷陰極管１５に印加し続けている状態を含むものとし、以下の説明で、待機時光源電圧Ｖは、この待機時に陰極管１５に印加し続けている所定電圧をいう。
【０１２１】
すなわち、複合装置１は、原稿台に原稿がセットされ、操作部で原稿の読み取りに必要な各種設定操作が行われて、読取開始を指示するスタートキーが投入されると、ＣＰＵ２が、図１６に示すように、まず、光源である冷陰極管１５の待機時の電圧である待機時光源電圧ＶをＣＰＵ  Ｉ／Ｆ１０から取得してＲＡＭ４に記憶するとともに（ステップＳ７０１）、タイマ５に消灯中に行わせていた当該消灯後経過時間（消灯時間）ＳＴの計時を終了させるとともに、当該計時した消灯時間ＳＴをＲＡＭ４に記憶し（ステップＳ７０２）、次に、ＣＰＵ  Ｉ／Ｆ１０を介して、インバータ１４に点灯命令を出力して、インバータ１４がこの点灯命令に応じて冷陰極管１５の点灯を開始する（ステップＳ７０３）。
【０１２２】
ＣＰＵ２は、冷陰極管１５の点灯を開始すると、サーミスタ９による環境温度Ｋの計測結果を取得して（ステップＳ７０４）、図１７の最小安定化待ち時間データ表を参照して、環境温度Ｋ、消灯時間ＳＴ及び待機時光源電圧Ｖに基づいて、最小安定化待ち時間Ｔ３１（秒）〜Ｔ３８（秒）を決定する（ステップＳ７０５）。
【０１２３】
すなわち、ＣＰＵ２は、光源である冷陰極管１５を点灯する前に、当該冷陰極管１５の待機時光源電圧Ｖを取得してＲＡＭ４に記憶し、また、当該冷陰極管１５の消灯後の経過時間である消灯時間ＳＴのタイマ５による計時を終了して、当該計時結果の消灯時間ＳＴをＲＡＭ４に記憶し、その後、冷陰極管１５を点灯させて、環境温度Ｋを取得し、この待機時光源電圧Ｖ、消灯時間ＳＴ及び環境温度Ｋに基づいて、予めＲＯＭ３または図示しない不揮発性メモリ等の最小安定化待ち時間記憶メモリに記憶されている最小安定化待ち時間データ表から最小安定化待ち時間Ｔを読み出して決定する。
【０１２４】
そして、この最小安定化待ち時間Ｔは、例えば、上記第２実施例の図７と同様に、消灯時間ＳＴと環境温度Ｋとの関係で決定される領域を、環境温度閾値と消灯時間閾値（消灯後経過時間閾値）によって、４つの領域に区分し、さらに、消灯時間ＳＴと待機時光源電圧Ｖで決定される領域を、待機時光源電圧閾値によって、４つの領域に区分、すなわち、総数８つの領域に区分し、各領域において冷陰極管１５の光量が安定するまでの最小安定化待ち時間の最大値を最小安定化待ち時間Ｔ３１（秒）〜Ｔ３８（秒）として、それぞれ予め実験等で求めて、図１７に示したように設定して、ＲＯＭ３または図示しない不揮発性メモリ等の最小安定化待ち時間記憶メモリに最小安定化待ち時間データ表として記憶し、ＣＰＵ２がこの最小安定化待ち時間記憶メモリの最小安定化待ち時間データ表からサーミスタ９の検出した環境温度Ｋ及びＲＡＭ４の消灯時間ＳＴと待機時光源電圧Ｖに基づいて最小安定化待ち時間Ｔを読み出して決定する。
【０１２５】
ＣＰＵ２は、最小安定化待ち時間Ｔを決定すると、当該決定した最小安定化待ち時間Ｔをタイマ５にセットし、タイマ５でセットした最小安定化待ち時間Ｔを計時してタイムアウトするまで安定化待ちする（ステップＳ７０６）。
【０１２６】
ＣＰＵ２は、タイマ５が最小安定化待ち時間Ｔを計時して、タイムアウトすると、光源である冷陰極管１５が安定化したとして、原稿の読取動作を開始し、ＣＣＤ１３で光電変換した原稿のアナログの画像データを、Ａ／Ｄ変換器１２でデジタル変換した後、画像メモリ６に蓄積する処理を、全ての原稿に対して実施する（ステップＳ７０７）。
【０１２７】
ＣＰＵ２は、セットされている全ての原稿の読取処理を完了すると、ＣＰＵ  Ｉ／Ｆ１０を介してインバータ１４に消灯命令を出力して、冷陰極管１５を消灯させるとともに、タイマ５に消灯時間ＳＴの計時を開始させ（ステップＳ７０８）、待機状態に移行する（ステップＳ７０９）。
【０１２８】
ＣＰＵ２は、この待機状態で、原稿がセットされて、必要な設定操作が行われてスタートキーが投入されると、ステップＳ７０１に移行して、ＣＰＵ  Ｉ／Ｆ１０から待機時光源電圧Ｖを取得してＲＡＭ４に記憶し、タイマ５による消灯時間ＳＴの計時の終了と計時した消灯時間ＳＴのＲＡＭ４への記憶を行った後、ＣＰＵ  Ｉ／Ｆ１０を介してインバータ１４に点灯命令を出力して、冷陰極管１５の点灯の開始から上記同様に処理する（ステップＳ７０１〜Ｓ７０９）。
【０１２９】
このように、本実施例の複合装置１は、タイマ５で冷陰極管１５の前回の消灯時からの消灯後経過時間である消灯時間ＳＴを計時し、また、冷陰極管１５の消灯時に供給されている電圧を待機時光源電圧Ｖとして検出し、この消灯時間ＳＴと検出待機時光源電圧Ｖ及びサーミスタ９で検出した環境温度Ｋとに基づいて、読取光を原稿に照射する光源である冷陰極管１５の光量が安定するまでの最小の光量安定化待ち時間Ｔを判定している。
【０１３０】
したがって、高価な光源温度検出手段で冷陰極管１５自体の温度を検出したり、ゲイン調整や白基準調整を行うことなく、安価かつ簡単な構造で、冷陰極管１５の光量が安定化するまでの待ち時間である光量安定化時間をより一層適切に必要最小限の時間に判定することができ、読取画像を安価により一層向上させることができるとともに、利用性を向上させることができる。
【実施例８】
【０１３１】
図１８及び図１９は、本発明の画像読取装置、光量安定化時間判定方法、光量安定化時間判定プログラム及び記録媒体の第８実施例を示す図であり、図１８は、本発明の画像読取装置、光量安定化時間判定方法、光量安定化時間判定プログラム及び記録媒体の第８実施例を適用した複合装置による光源の安定化待ち時間判定処理を示すフローチャートである。
【０１３２】
なお、本実施例は、上記第１実施例の複合装置１と同様の複合装置に適用したものであり、本実施例の説明においては、必要に応じて、上記第１実施例の説明で用いた符号をそのまま用いて説明する。
【０１３３】
本実施例の複合装置１は、環境温度Ｋ、消灯後の経過時間（消灯時間）ＳＴ、累積点灯時間ＲＴ及び待機時光源電圧Ｖに基づいて、光源である冷陰極管１５の光量の最小安定化待ち時間判定を行う。なお、本実施例では、消灯とは、待機時に所定電圧を冷陰極管１５に印加し続けている状態を含むものとし、以下の説明で、待機時光源電圧Ｖは、この待機時に陰極管１５に印加し続けている所定電圧をいう。
【０１３４】
すなわち、複合装置１は、原稿台に原稿がセットされ、操作部で原稿の読み取りに必要な各種設定操作が行われて、読取開始を指示するスタートキーが投入されると、ＣＰＵ２が、図１８に示すように、まず、光源である冷陰極管１５の待機時の電圧である待機時光源電圧ＶをＣＰＵ  Ｉ／Ｆ１０から取得してＲＡＭ４に記憶するとともに（ステップＳ８０１）、タイマ５に消灯中に行わせていた当該消灯後経過時間（消灯時間）ＳＴの計時を終了させて、当該計時した消灯時間ＳＴをＲＡＭ４に記憶し（ステップＳ８０２）、次に、ＣＰＵ  Ｉ／Ｆ１０を介して、インバータ１４に点灯命令を出力して、インバータ１４がこの点灯命令に応じて冷陰極管１５の点灯を開始する（ステップＳ８０３）。
【０１３５】
ＣＰＵ２は、冷陰極管１５の点灯を開始すると、タイマ５の駆動を開始して冷陰極管１５の点灯時間の計時を開始させ（ステップＳ８０４）、サーミスタ９による環境温度Ｋの計測結果を取得して（ステップＳ８０５）、図１９に基づいて、環境温度Ｋ、消灯時間ＳＴ、累積点灯時間ＲＴ及び待機時光源電圧Ｖに基づいて、最小安定化待ち時間Ｔ３１（秒）〜Ｔ３８（秒）を決定する（ステップＳ８０６）。
【０１３６】
すなわち、ＣＰＵ２は、光源である冷陰極管１５を点灯する前に、当該冷陰極管１５の待機時光源電圧Ｖを取得してＲＡＭ４に記憶し、また、当該冷陰極管１５の消灯後の経過時間である消灯時間ＳＴのタイマ５による計時を終了して、当該計時結果の消灯時間ＳＴをＲＡＭ４に記憶し、その後、冷陰極管１５を点灯させて、当該冷陰極管１５の点灯時間の計時を開始して、環境温度Ｋを取得し、その後、読み取りが完了して冷陰極管１５を消灯すると、当該計時した点灯時間をＲＡＭ４に記憶している累積点灯時間ＲＴに加算する処理を冷陰極管１５を点灯する毎に行い、上記ステップＳ８０６で、この待機時光源電圧Ｖ、消灯時間ＳＴ，累積点灯時間ＲＴ及び環境温度Ｋに基づいて、予めＲＯＭ３または図示しない不揮発性メモリ等の最小安定化待ち時間記憶メモリに記憶されている最小安定化待ち時間データ表から最小安定化待ち時間Ｔ（Ｔ３１〜Ｔ３８）を読み出して決定する。
【０１３７】
そして、この最小安定化待ち時間Ｔは、例えば、上記第２実施例の図７と同様に、消灯時間ＳＴと環境温度Ｋとの関係で決定される領域を、環境温度閾値と消灯時間閾値（消灯後経過時間閾値）によって、４つの領域に区分し、さらに、消灯時間ＳＴと累積点灯時間ＲＴで決定される領域を、累積点灯時間閾値によって、４つの領域に区分し、さらに、累積点灯時間ＲＴと待機時光源電圧Ｖとの関係で決定される領域を、累積点灯時間閾値と待機時光源電圧閾値によって、４つの領域に区分、すなわち、総数１６の領域に区分し、各領域において冷陰極間１５の光量が安定するまでの最小安定化待ち時間の最大値を最小安定化待ち時間Ｔ３１（秒）〜Ｔ３８（秒）として、それぞれ予め実験等で求めて、図１９に示したように設定して、ＲＯＭ３または図示しない不揮発性メモリ等の最小安定化待ち時間記憶メモリに最小安定化待ち時間データ表として記憶し、ＣＰＵ２がこの最小安定化待ち時間記憶メモリの最小安定化待ち時間データ表からサーミスタ９の検出した環境温度Ｋ及びＲＡＭ４の消灯時間ＳＴと待機時光源電圧Ｖに基づいて最小安定化待ち時間Ｔを読み出して決定する。
【０１３８】
ＣＰＵ２は、最小安定化待ち時間Ｔを決定すると、当該決定した最小安定化待ち時間Ｔをタイマ５にセットし、タイマ５でセットした最小安定化待ち時間Ｔを計時してタイムアウトするまで安定化待ちする（ステップＳ８０７）。
【０１３９】
ＣＰＵ２は、タイマ５が最小安定化待ち時間Ｔを計時して、タイムアウトすると、光源である冷陰極管１５の光量が安定化したとして、原稿の読取動作を開始し、ＣＣＤ１３で光電変換した原稿のアナログの画像データを、Ａ／Ｄ変換器１２でデジタル変換した後、画像メモリ６に蓄積する処理を、全ての原稿に対して実施する（ステップＳ８０８）。
【０１４０】
ＣＰＵ２は、セットされている全ての原稿の読取処理を完了すると、ＣＰＵ  Ｉ／Ｆ１０を介してインバータ１４に消灯命令を出力して、冷陰極管１５を消灯させるとともに、タイマ５に点灯時間の計時を終了させて（ステップＳ８０９）、この計時された点灯時間をＲＡＭ４に既に累積されている累積点灯時間ＲＴに加算し（ステップＳ８１０）、次に、タイマ５に消灯時間ＳＴの計時を開始させて（ステップＳ８１１）、待機状態に移行する（ステップＳ８１２）。
【０１４１】
ＣＰＵ２は、この待機状態で、原稿がセットされて、必要な設定操作が行われてスタートキーが投入されると、ステップＳ８０１に移行して、ＣＰＵ  Ｉ／Ｆ１０から待機時光源電圧Ｖを取得してＲＡＭ４に記憶し、タイマ５による消灯時間ＳＴの計時の終了と計時した消灯時間ＳＴのＲＡＭ４への記憶を行った後、ＣＰＵ  Ｉ／Ｆ１０を介してインバータ１４に点灯命令を出力して、冷陰極管１５の点灯の開始から上記同様に処理する（ステップＳ８０１〜Ｓ８１２）。
【０１４２】
このように、本実施例の複合装置１は、タイマ５で冷陰極管１５の前回の消灯時からの消灯後経過時間である消灯時間ＳＴを計時し、また、冷陰極管１５の消耗度を示す点灯時間の累積時間である累積点灯時間ＲＴをタイマ５で計時し、さらに、冷陰極管１５の消灯時に供給されている電圧を待機時光源電圧Ｖとして検出し、この消灯時間ＳＴと累積点灯時間ＲＴと検出待機時光源電圧Ｖ及びサーミスタ９で検出した環境温度Ｋとに基づいて、読取光を原稿に照射する光源である冷陰極管１５の光量が安定するまでの最小の光量安定化待ち時間Ｔを判定している。
【０１４３】
したがって、高価な光源温度検出手段で冷陰極管１５自体の温度を検出したり、ゲイン調整や白基準調整を行うことなく、安価かつ簡単な構造で、冷陰極管１５の光量が安定化するまでの待ち時間である光量安定化時間をより一層適切に必要最小限の時間に判定することができ、読取画像を安価により一層向上させることができるとともに、利用性を向上させることができる。
【０１４４】
なお、上記各実施例においては、全て閾値以上、以下の２段階で領域に区別して、冷陰極管１５の安定化待ち時間の判定を行っているが、領域区分は、閾値を複数用いて、３段階以上に領域区分して、冷陰極管１５の安定化待ち時間を判定してもよいし、連続的に領域判断して、冷陰極管１５の安定化待ち時間を判定してもよく、より細かく分かれているほど、冷陰極管１５の安定化待ち時間を精度よく判定することができる。
【０１４５】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【０１４６】
本発明は、原稿読取用の光源の光量の安定状態を安価かつ適切に判定して当該光源を使用して原稿の画像を読み取る画像読取装置及びこの画像読取装置の光量安定化時間判定方法、光量安定化時間判定プログラム及び記録媒体に適用することができる。
【図面の簡単な説明】
【０１４７】
【図１】本発明の画像読取装置、光量安定化時間判定方法、光量安定化時間判定プログラム及び記録媒体の第１実施例を適用した複合装置の要部ブロック構成図。
【図２】図１の複合装置による光源の安定化待ち時間判定処理を示すフローチャート。
【図３】図２の安定化待ち時間判定処理で用いる環境温度による最小安定化待ち時間データ表を示す図。
【図４】図３の最小安定化待ち時間と環境温度との関係を示す図。
【図５】本発明の画像読取装置、光量安定化時間判定方法、光量安定化時間判定プログラム及び記録媒体の第２実施例を適用した複合装置による光源の安定化待ち時間判定処理を示すフローチャート。
【図６】図５の安定化待ち時間判定処理で用いる環境温度と消灯後経過時間による最小安定化待ち時間データ表を示す図。
【図７】図６の最小安定化待ち時間と環境温度及び消灯後経過時間との関係を示す図。
【図８】本発明の画像読取装置、光量安定化時間判定方法、光量安定化時間判定プログラム及び記録媒体の第３実施例を適用した複合装置による光源の安定化待ち時間判定処理を示すフローチャート。
【図９】図８の安定化待ち時間判定処理で用いる環境温度と光源累積点灯時間による最小安定化待ち時間データ表を示す図。
【図１０】本発明の画像読取装置、光量安定化時間判定方法、光量安定化時間判定プログラム及び記録媒体の第４実施例を適用した複合装置による光源の安定化待ち時間判定処理を示すフローチャート。
【図１１】図１０の安定化待ち時間判定処理で用いる環境温度と待機時光源電圧による最小安定化待ち時間データ表を示す図。
【図１２】本発明の画像読取装置、光量安定化時間判定方法、光量安定化時間判定プログラム及び記録媒体の第５実施例を適用した複合装置による光源の安定化待ち時間判定処理を示すフローチャート。
【図１３】図１２の安定化待ち時間判定処理で用いる環境温度、消灯後経過時間及び光源累積点灯時間による最小安定化待ち時間データ表を示す図。
【図１４】本発明の画像読取装置、光量安定化時間判定方法、光量安定化時間判定プログラム及び記録媒体の第６実施例を適用した複合装置による光源の安定化待ち時間判定処理を示すフローチャート。
【図１５】図１４の安定化待ち時間判定処理で用いる環境温度、待機時光源電圧及び光源累積点灯時間による最小安定化待ち時間データ表を示す図。
【図１６】本発明の画像読取装置、光量安定化時間判定方法、光量安定化時間判定プログラム及び記録媒体の第７実施例を適用した複合装置による光源の安定化待ち時間判定処理を示すフローチャート。
【図１７】図１６の安定化待ち時間判定処理で用いる環境温度、消灯後経過時間及び待機時光源電圧による最小安定化待ち時間データ表を示す図。
【図１８】本発明の画像読取装置、光量安定化時間判定方法、光量安定化時間判定プログラム及び記録媒体の第８実施例を適用した複合装置による光源の安定化待ち時間判定処理を示すフローチャート。
【図１９】図１８の安定化待ち時間判定処理で用いる環境温度、消灯後経過時間、光源累積点灯時間及び待機時光源電圧による最小安定化待ち時間データ表を示す図。
【符号の説明】
【０１４８】
１  複合装置
２  ＣＰＵ
３  ＲＯＭ
４  ＲＡＭ
５  タイマ
６  画像メモリ
７  ＰＣＩバス
８  プリンタ
９  サーミスタ
１０  ＣＰＵ  Ｉ／Ｆ
１１  読取部
１２  Ａ／Ｄ変換器
１３  ＣＣＤ
１４  インバータ
１５  冷陰極管
【図１】
2007259093.tif 000003
【図２】
2007259093.tif 000004
【図３】
2007259093.tif 000005
【図４】
2007259093.tif 000006
【図５】
2007259093.tif 000007
【図６】
2007259093.tif 000008
【図７】
2007259093.tif 000009
【図８】
2007259093.tif 000010
【図９】
2007259093.tif 000011
【図１０】
2007259093.tif 000012
【図１１】
2007259093.tif 000013
【図１２】
2007259093.tif 000014
【図１３】
2007259093.tif 000015
【図１４】
2007259093.tif 000016
【図１５】
2007259093.tif 000017
【図１６】
2007259093.tif 000018
【図１７】
2007259093.tif 000019
【図１８】
2007259093.tif 000020
【図１９】
2007259093.tif 000021